(57)【要約】【課題】集塵性能を低下することなく遠心分離部と塵埃蓄積部を有する集塵部の大きさを小型化するとともに、使用性を向上した電気掃除機を提供することを目的とする。【解決手段】吸引風から塵埃を分離する複数の遠心分離部７と、前記遠心分離部７の吸気上流側に設けた吸気口部９とを備え、前記吸気口部９に流入した吸引風は分流した後、前記複数の遠心分離部７にそれぞれ流入するもので、複数の遠心分離部７を有する構成とすることにより、配置構成の自由度が増し、集塵性能を低下させることなく小スペース化を実現できる。【選択図】  図５
2004267680.tif 000002
【特許請求の範囲】
【請求項１】
吸引風を発する電動送風機と、前記吸引風から塵埃を分離する複数の遠心分離部と、前記遠心分離部の吸気上流側に設けた吸気口部とを備え、前記吸気口部に流入した吸引風は分流した後、前記複数の遠心分離部にそれぞれ流入する電気掃除機。
【請求項２】
吸引風を発する電動送風機と、前記吸引風から塵埃を分離する遠心分離部と、前記遠心分離部にて吸引風から分離した塵埃を蓄積する塵埃蓄積部とを備え、前記遠心分離部に対して前記塵埃蓄積部を傾斜させて設けた電気掃除機。
【請求項３】
遠心分離部にて吸引風から分離した塵埃を蓄積する塵埃蓄積部を、前記遠心分離部の下方に形成した請求項１または２記載の電気掃除機。
【請求項４】
吸気口部の吸気下流側に、複数の遠心分離部内に略均等に吸引風が流入するための分岐口部を設けた請求項１記載の電気掃除機。
【請求項５】
集塵部を、遠心分離部と前記遠心分離部にて吸引風から分離した塵埃を蓄積する塵埃蓄積部とで形成するとともに、前記集塵部に把手部を設けた請求項１〜４のいずれか１項に記載の電気掃除機。
【請求項６】
遠心分離部の略上方に開口部を形成し、前記開口部をフィルター部を有する集塵部蓋にて覆う請求項５記載の電気掃除機。
【請求項７】
集塵部蓋と集塵部とを係止及び解除させる操作部を、把手部近傍に設けた請求項６項記載の電気掃除機。
【請求項８】
把手部を握ったまま、操作部を解除できる請求項７記載の電気掃除機。
【請求項９】
遠心分離部に略円筒形状のプレフィルターを設けた請求項１〜８のいずれか１項に記載の電気掃除機。
【請求項１０】
プレフィルターの吸気下流側に保護部材を設けた請求項９項記載の電気掃除機。
【請求項１１】
保護部材は円盤形状で下方に向かって開いた状態で設けられてなる請求項１０項記載の電気掃除機。
【請求項１２】
保護部材と遠心分離部の内壁との距離を、一部他の部分より大きくした請求項１０または１１記載の電気掃除機。
【請求項１３】
塵埃蓄積部に塵埃を排出するための排出口と、前記排出口を覆う排出口蓋とを設けた請求項２〜１２のいずれか１項に記載の電気掃除機。
【請求項１４】
排出口を塵埃蓄積部の下面に設けた請求項１３記載の電気掃除機。
【請求項１５】
排出口を塵埃蓄積部の後方面に設けた請求項１３記載の電気掃除機。
【請求項１６】
排出口蓋は回動軸にて回動自在に形成されてなる請求項１３〜１５のいずれか１項に記載の電気掃除機。
【請求項１７】
回動軸を排出口の上部に設けた請求項１６記載の電気掃除機。
【請求項１８】
回動軸を排出口の下部に設けた請求項１６記載の電気掃除機。
【請求項１９】
排出口蓋の回動時に、前記排出口蓋を固定するための係止部を設けた請求項１６〜１８のいずれか１項に記載の電気掃除機。
【発明の詳細な説明】
【０００１】
【発明の属する技術分野】
本発明は、一般家庭で使用される電気掃除機に関するもので、特に使用性に関するものである。
【０００２】
【従来の技術】
従来のこの種の電気掃除機は、以下に記載されているようなものが一般的であった。この種の電気掃除機を図１９〜図２０を用いて説明する。
【０００３】
図１９〜図２０において、１は塵埃を吸引するための電動送風機（図示せず）を内蔵し、塵埃を吸引する吸込具５と連通した本体であり、２は上部に吸引した塵埃と吸引風を分離する遠心分離部３と下部に前記遠心分離部３から分離された塵埃を蓄積する塵埃蓄積部４を有する集塵部である。なお、前記集塵部４は前記本体１に着脱自在に取り付けられている。
【０００４】
そして、上記電気掃除機を運転すると、吸込具５より吸引風とともに吸引された塵埃は、遠心分離部３で吸引風から分離される。塵埃はそのまま塵埃蓄積用の塵埃蓄積部４に蓄積され、一方、吸引風はフィルター６を通過後、集塵部２内より前記電動送風機（図示せず）に吸引される。
【０００５】
なお、遠心分離部３および塵埃蓄積部４はともに略鉛直方向に長手方向の中心軸を有する略円柱形状を成している（特許文献１参照）。
【０００６】
【特許文献１】
特開平５−１７６８７１号公報
【０００７】
【発明が解決しようとする課題】
しかしながら上記従来の電気掃除機の構成では、集塵性能を向上するためには、塵埃と吸引風とを分離する遠心分離部３や、塵埃を蓄積する塵埃蓄積部４の大きさを大きくする必要があり、そうすると掃除機本体の大きさが大きくなってしまう欠点があった。
【０００８】
本発明は上記従来の課題を解決するもので、集塵性能を低下することなく遠心分離部と塵埃蓄積部を有する集塵部の大きさを小型化するとともに、使用性を向上した電気掃除機を提供することを目的とする。
【０００９】
【課題を解決するための手段】
本発明は上記課題を解決するために本発明は、吸引風を発する電動送風機と、前記吸引風から塵埃を分離する複数の遠心分離部と、前記遠心分離部の吸気上流側に設けた吸気口部とを備え、前記吸気口部に流入した吸引風は分流した後、前記複数の遠心分離部にそれぞれ流入するもので、遠心集塵させるためには遠心分離部の形状を略円柱形状または略円錐形状としなければならないため、遠心分離部が１個のままで集塵性能を向上させようとすると必然的に遠心分離部の大きさを大きくすることとなり、それに伴い掃除機本体が大きくなってしまう。しかしながら、上記構成、特に複数の遠心分離部を有する構成とすることにより、配置構成の自由度が増し、集塵性能を低下させることなく小スペース化を実現できる。
【００１０】
【発明の実施の形態】
本発明の請求項１記載の発明は、吸引風を発する電動送風機と、前記吸引風から塵埃を分離する複数の遠心分離部と、前記遠心分離部の吸気上流側に設けた吸気口部とを備え、前記吸気口部に流入した吸引風は分流した後、前記複数の遠心分離部にそれぞれ流入するもので、遠心集塵させるためには遠心分離部の形状を略円柱形状または略円錐形状としなければならないため、遠心分離部が１個のままで集塵性能を向上させようとすると必然的に遠心分離部の大きさを大きくすることとなり、それに伴い掃除機本体が大きくなってしまう。しかしながら、上記構成、特に複数の遠心分離部を有する構成とすることにより、配置構成の自由度が増し、集塵性能を低下させることなく小スペース化を実現できる。
【００１１】
本発明の請求項２記載の発明は、吸引風を発する電動送風機と、前記吸引風から塵埃を分離する遠心分離部と、前記遠心分離部にて吸引風から分離した塵埃を蓄積する塵埃蓄積部とを備え、前記遠心分離部に対して前記塵埃蓄積部を傾斜させて設けたもので、全体高さを抑えることができ、縦型掃除機はもちろんのこと、床移動型掃除機にも搭載できる。また、塵埃蓄積部にて蓄積された塵埃が、再度、前記遠心分離部において発生する遠心力により舞い上がり、遠心分離部が有するフィルター部に付着しにくくなり、吸い込み力の低下を防止できる。
【００１２】
本発明の請求項３記載の発明は、遠心分離部にて吸引風から分離した塵埃を蓄積する塵埃蓄積部を、前記遠心分離部の下方に形成したもので、遠心分離部にて吸引風と分離した塵埃は、重力で自由落下するため、無理なく塵埃蓄積性能を実現できる。
【００１３】
本発明の請求項４記載の発明は、吸気口部の吸気下流側に、複数の遠心分離部内に略均等に吸引風が流入するための分岐口部を設けたもので、塵埃を含んだ吸引風は、各遠心分離部内に略均等に分流されることで、各遠心分離部内にて略均等に塵埃は遠心分離される。したがって、それぞれの遠心分離部の分離性能を耐久的に略均等に維持できる。
【００１４】
本発明の請求項５記載の発明は、集塵部を、遠心分離部と前記遠心分離部にて吸引風から分離した塵埃を蓄積する塵埃蓄積部とで形成するとともに、前記集塵部に把手部を設けたもので、集塵部の持ち運びが容易になり、ごみ捨て時等で手を汚すことが防止でき使用性を向上させることができる。
【００１５】
本発明の請求項６記載の発明は、遠心分離部の略上方に開口部を形成し、前記開口部をフィルター部を有する集塵部蓋にて覆うもので、前記遠心分離部で分離した吸引風中の微細塵を前記フィルター部が蓄積するため、電動送風機に細塵が付着することによる性能低下、安全性の劣化といった問題点を改善できるとともに、前記集塵部蓋を外すことにより前記開口部から前記集塵部内部に蓄積した塵埃を容易に捨てることができ、使用性を向上させることができる。
【００１６】
本発明の請求項７記載の発明は、集塵部蓋と集塵部とを係止及び解除させる操作部を、把手部近傍に設けたもので、把手部を持った状態で同時に前記操作部を動作可能にできる構成であり、前記把手部を持った状態で前記集塵部蓋を外すための前記操作部を動作できるため、わざわざ持ちかえる等といった煩わしさがないため使用性を向上させることができる。
【００１７】
本発明の請求項８記載の発明は、把手部を握ったまま、操作部を解除できるもので、集塵部蓋を外す際は、把手部を使用者が手で握った状態にて、操作部を操作できるため、しっかりと集塵部を保持することができ、使用者が集塵部を落下させるといった問題点を未然に防止できる。
【００１８】
本発明の請求項９記載の発明は、遠心分離部に略円筒形状のプレフィルターを設けたもので、遠心分離部で分離されない塵埃を、プレフィルターに蓄積させることで、フィルター部への塵埃の付着を低減し、性能低下を抑制させることができる。また、プレフィルターの形状を略円筒形状にすることにより、前記プレフィルターの面積を大きくすることができるので、前記プレフィルターへの塵埃の蓄積による性能低下も抑制することができる。
【００１９】
本発明の請求項１０記載の発明は、プレフィルターの吸気下流側に保護部材を設けたもので、遠心分離部で吸引風を分離されて塵埃蓄積部に蓄積されている塵埃が、前記塵埃蓄積部の底面で反射された回転気流により、再び上方に舞い上がる際に、前記保護部材が前記遠心分離部の手前で、その上方に舞い上がる塵埃を塞き止めて、再び下方に押し戻すため、塵埃が再度遠心分離部内部に戻り、新たに吸引した塵埃分離を妨げるといった問題点を解消できる。
【００２０】
本発明の請求項１１記載の発明は、保護部材は円盤形状で下方に向かって開いた状態で設けられてなるもので、遠心分離部で吸引風を分離されて塵埃蓄積部に蓄積されている塵埃が、前記塵埃蓄積部の底面で反射された回転気流により、再び上方に舞い上がる際に、前記保護部材が前記遠心分離部の手前で、その上方に舞い上がる塵埃を塞き止めて、再び下方に押し戻すため、塵埃が再度遠心分離部内部に戻り、新たに吸引した塵埃分離を妨げるといった問題点を解消できる。
【００２１】
なお、前記保護部材は円盤形状で下方に向かって開いた状態で設けられているため、舞い上がる塵埃を塞き止めて、再び下方に押し戻す効果が特に大きい。
【００２２】
本発明の請求項１２記載の発明は、保護部材と遠心分離部の内壁との距離を、一部他の部分より大きくしたもので、遠心分離部で吸引風を分離されて塵埃蓄積部に蓄積されている塵埃が、前記塵埃蓄積部の底面で反射された回転気流により、再び上方に舞い上がる際に、前記保護部材が前記遠心分離部の手前で、その上方に舞い上がる塵埃を塞き止めて、再び下方に押し戻すが、一部の塵埃は前記保護部材の上方まで舞い上がってしまう。そのとき、保護部材と遠心分離部の内壁との距離を、一部他の部分より大きくすることで、保護部材の上方に蓄積した塵埃が落下しやすくなり、保護部材の上方への塵埃堆積を防止でき、高性能を維持することができる。
【００２３】
本発明の請求項１３記載の発明は、塵埃蓄積部に塵埃を排出するための排出口と、前記排出口を覆う排出口蓋とを設けたもので、排出口蓋を外すことにより、集塵部の下部の排出口から容易に塵埃を捨てることができるため使用性を向上できる。
【００２４】
本発明の請求項１４記載の発明は、排出口を塵埃蓄積部の下面に設けたもので、排出口蓋を外すことにより、塵埃がその自重で排出できるため、塵埃排出を容易にでき、使用性を向上できる。
【００２５】
本発明の請求項１５記載の発明は、排出口を塵埃蓄積部の後方面に設けたもので、排出口蓋を外しても塵埃は排出されず、自らの意志により適切な量、速度で塵埃を排出できるため、前記排出口蓋を外すと同時に塵埃が勝手に排出されて、周囲に塵埃が散乱するといった問題点を解決することができ、使用性を向上できる。
【００２６】
本発明の請求項１６記載の発明は、排出口蓋は回動軸にて回動自在に形成されてなるもので、塵埃排出後も容易に前記排出口蓋を閉じることができ、使用性を向上できる。
【００２７】
本発明の請求項１７記載の発明は、回動軸を排出口の上部に設けたもので、塵埃排出時に塵埃が前記排出口蓋の上に散乱し、前記排出口蓋を汚すといった問題点を解決することができ、使用性を向上できる。
【００２８】
本発明の請求項１８記載の発明は、回動軸を排出口の下部に設けたもので、塵埃排出時に排出口蓋により排出口近傍が見えなくなり、塵埃排出時に周囲に塵埃を散乱させてしまうといった問題点を解決することができ、使用性を向上できる。
【００２９】
本発明の請求項１９記載の発明は、排出口蓋の回動時に、前記排出口蓋を固定するための係止部を設けたもので、塵埃排出時に排出口蓋を作業の邪魔にならないところに係止させることができ、塵埃排出作業を容易にかつ確実に行うことができ、使用性を向上できる。
【００３０】
【実施例】
以下、本発明の一実施例について図面を用いて説明する。
【００３１】
図１、図２は本発明の掃除機本体の全体構成を示す断面図、図３、図４、図６、図７、図１２、図１８は集塵部の外観図、図５、図８〜図１１、図１３〜図１７は集塵部の断面図である。
【００３２】
図１〜図１８において、５は吸引風を発する電動送風機６と塵埃を吸引する吸込具に連通し、上方に配設され吸引した吸引風から塵埃を遠心分離する遠心分離部７と、下方に配設され前記遠心分離部７から分離された塵埃を蓄積する塵埃蓄積部８から構成された集塵部である。前記集塵部５は、前記遠心分離部７の鉛直方向の中心軸が、前記塵埃蓄積部８の鉛直方向の中心軸に対し３０°傾斜させた構成となっている。
【００３３】
また、前記吸込具にて吸引した塵埃を含む吸引風を集塵部５に流入するための吸気口部で、１０は前記遠心分離部７の入口で前記吸気口部９から吸引された塵埃を含む吸引風を、前記遠心分離部７室内に略均等に分流するための分岐口部である。また、１１は前記集塵部５を持ち運ぶための把手部で、１２は前記集塵部５の略上方に開口部１３を設け、前記開口部１３を覆い、内部に吸引した吸引風が含む塵埃のろ過用のフィルター部１４を配設した集塵部蓋で、１５は前記把手部１１近傍に設けて、前記集塵部蓋１２と前記集塵部５の間を係止及び解除させる操作部であり、この前記操作部１５は前記把手部１１を持つと同時に動作させることができる。
【００３４】
また、１６は前記集塵部５と前記集塵部蓋１２の間に配置され、前記遠心分離部７の鉛直方向の略中心軸上に位置し、略円筒形状をなす粗塵蓄積用のプレフィルターであり、１７は前記プレフィルター１６の下方に配置した略円盤形状の保護部材である。
【００３５】
また、１８は前記塵埃蓄積部８の外周部に設けた塵埃を排出するための排出口で、１９は前記排出口１８を覆う排出口蓋である。前記排出口蓋１９は前記排出口１８近傍に設けられた回動軸２０に回動自在に保持されており、前記回動軸２０近傍に回動時に前記排出口蓋１９を固定するための係止部２１を設けている。
【００３６】
次に動作、作用について説明する。
【００３７】
図１、図２において、電気掃除機を運転すると、前記電動送風機６より吸引された塵埃を含む吸引風は前記吸気口部９を通り、前記遠心分離部７の吸気上流側に設けた前記分岐口部１０により略均等に分流された状態で前記遠心分離部７の内面の略接線方向に吸引される。
【００３８】
吸引された塵埃を含む吸引風は、前記遠心分離部７内周面を回転しながら自らの質量により下方に落下し、前記遠心分離部７の下部の前記塵埃蓄積部８の中に蓄積される。その後、前記遠心分離部７で発生した回転気流は、前記塵埃蓄積部８に底面で反射することにより再度上昇するため、いったん蓄積された塵埃は再度上方に巻き上げられるが、前記プレフィルター１６の下部に設けた下方に向かって開き、外形寸法がプレフィルター１６の外形寸法よりも大きい前記円盤形状の保護部材１７により跳ね返されて、再び前記塵埃蓄積部８内に蓄積される。このような動作を繰り返すことにより、塵埃は前記塵埃蓄積部８内に蓄積されてゆく。
【００３９】
前記遠心分離部７で粗塵埃を分離した細塵を含む吸引風は、前記プレフィルター１６を通過して、前記集塵部蓋１２の内部の前記フィルター部１４を通過するとき、細塵をろ過して、きれいな状態で前記電動送風機６に吸引された後、大気に排出される。
【００４０】
また、前記塵埃蓄積部８に蓄積した塵埃を排出する際、１つめの方法としては、前記集塵部５を本体から取り出し前記把手部１１を持ち、つまむと同時にその内側に設けた前記操作部１５を押し、前記集塵部５を前記集塵部蓋１２の間の固定を解除させて前記塵埃蓄積部蓋１２を前記集塵部５から外す。そして、前記集塵部５の上部の前記開口部１３から内部の塵埃を排出させることができる。
【００４１】
２つめの方法は、前記集塵部５を本体から取り出した後、前記集塵部５の下方の前記排出口蓋１９を外して、前記排出口１８から前記塵埃蓄積部８内部の塵埃を排出させることができる。
【００４２】
図１〜図３において、前記集塵部５は前記遠心分離部７が前記塵埃蓄積部８に対し３０°の角度で傾斜させているので、前記遠心分離部７と前記塵埃蓄積部８が上下方向に直列に配設されている場合に比べ、全体高さを抑えることができ、縦型掃除機はもちろんのこと、床移動型掃除機にも搭載できる。なお、本実施例においては、３０°の角度で傾斜させているが、５°から８５°の間の傾斜角度であれば十分目的を満たす。
【００４３】
また、前記遠心分離部７は、図１〜図３のように傾斜させているだけであるので、塵埃そのものの質量による下方へ移動する力は生じるので、前記遠心分離部７と前記塵埃蓄積部８を水平方向に配設させる場合に生じていた吸引風と分離させた塵埃を効率よく前記塵埃蓄積部８に運びにくくなるという問題点も防止できる。
【００４４】
また、前記遠心分離部７において発生する遠心力も前記遠心分離部７の上部と下部ではあまり差が生じないので吸い込み力低下は低減できる。
【００４５】
また、前記遠心分離部７の方が傾斜しており、前記塵埃蓄積部８形状は制約がなく自由に設定できるので、できるだけ大きくすることにより、前記集塵部５の集塵容量が大きくすることができ、ごみ捨ての頻度が減るため使用性を向上させることができる。
【００４６】
図４〜図８において、前記集塵部５の形状を細くして水平方向に並列配設させることにより、前記集塵部５全体は図５のように角の取れた略長方形の断面にすることができるので、複数配置、異なる大きさのものの配置等デザイン性を拡大できるとともに、細長いスペースしかない場合も構成することができる。
【００４７】
また、図８のように前記吸気口部９を複数に略均等分岐するため、吸込具から吸引した塵埃は各前記集塵部５に略均等に分流され、各前記集塵部５とも同等に蓄積される。したがって、それぞれの前記集塵部５の蓄積量が異なり塵埃を捨てる時期がわからなくなるといった問題を防止できる。
【００４８】
また、前記集塵部５を持ち運ぶための前記把手部１１を前記集塵部５に備えることにより、前記集塵部５の持ち運びが容易になり、ごみ捨て時等で手を汚すことが防止でき使用性を向上させることができる。
【００４９】
また、前記集塵部５の略上部に前記開口部１３を設け、前記開口部１３を覆い、内部に吸引した吸引風のろ過用のフィルター部１４を配設した前記集塵部蓋１２を備えることにより、前記遠心分離部７で分離した吸引風中の微細塵を前記フィルター部１４が蓄積するため、前記電動送風機６に細塵が付着することによる性能低下、安全性の劣化といった問題点を改善できるとともに、前記集塵部蓋１２を外すことにより前記開口部１３から前記集塵部５内部に蓄積した塵埃を容易に捨てることができ、使用性を向上させることができる。
【００５０】
また、前記集塵部蓋１２と前記集塵部５の間を係止及び解除させる前記操作部１５を前記集塵部５の前記把手部１１近傍に設けることにより、図７のように前記把手部１１を持った状態で前記塵埃蓄積部蓋１２を外すための前記操作部１５を動作できるため、塵埃排出の際にわざわざ持ちかえる等といった煩わしさがないため使用性を向上させることができる。
【００５１】
また、前記集塵部蓋１２を外す際は前記把手部１１をつまむ方向に前記操作部１５を動作させるため、しっかりと前記集塵部５を保持することができ、前記集塵部５を落下させるといった問題点を未然に防止できる。
【００５２】
図９〜図１１において、前記遠心分離部７で分離されずに前記集塵部蓋１２内部の前記フィルター部１４に付着して性能低下を発生させていた塵埃を先に前記プレフィルター１６で蓄積することにより前記フィルター部１４への付着を低減し性能低下を抑制させることができる。また、前記プレフィルター１６の形状を略円筒形状にすることにより、前記プレフィルター１６の面積を大きくすることができるので前記プレフィルター１６への塵埃の蓄積による性能低下も抑制することができる。
【００５３】
また、図９または図１０のように前記プレフィルター１６の下部に前記遠心分離部７の鉛直方向の中心軸に対して、略垂直方向の面を有する円盤形状の前記保護部材１７を設けることにより、前記遠心分離部７で発生した回転気流により下部の前記塵埃蓄積部８に運ばれた塵埃が、前記塵埃蓄積部８の底面で反射された回転気流により再び上方に運ばれていく際に、前記保護部材１７が前記遠心分離部７の手前でその上昇気流を塞き止めて再び下部に回転気流を押し戻させるため、塵埃が再度前記遠心分離部７内部に戻り、新たに吸引した塵埃分離を妨げるといった問題点を解消できる。
【００５４】
また、図１１のように、前記プレフィルター１６の下部に前記塵埃蓄積部８の鉛直方向の中心軸に対して、略垂直方向の面を有する円盤形状の前記保護部材１７を設けることにより、前記遠心分離部７で分離されて上記遠心分離部７で発生した回転気流により下部の前記塵埃蓄積部８に運ばれた塵埃が、前記塵埃蓄積部８の底面で反射された回転気流により再び上方に運ばれていく際に、前記保護部材１７が前記遠心分離部７の手前でその上昇気流を塞き止めて再び下部に回転気流を押し戻させる。その際、前記保護部材１７は前記塵埃蓄積部８の鉛直方向の中心軸に対して略垂直方向の面であるので、前記塵埃蓄積部８に沿って上昇する回転気流に対して略垂直な面で確実に気流を塞き止めることができるので、塵埃が再度前記遠心分離部７内部に戻り、新たに吸引した塵埃分離を妨げるといった問題点を解消できる。
【００５５】
また、図５のように、前記保護部材１７の後方部の前記遠心分離部７内面との間をほかの部分より大きくすることにより、前記遠心分離部７で分離された塵埃が下部の前記塵埃蓄積部８に移動する際に、前記保護部材１７の周囲を回転しながら通過するが、その際に前記塵埃蓄積部８の底面で反射された前記塵埃蓄積部８の鉛直方向の中心軸に対して略垂直方向に進行する回転気流により塵埃が押し戻される状態になる。そのため、塵埃は前記遠心分離部７の鉛直方向の中心軸に対して略垂直方向にではなく前記塵埃蓄積部８の鉛直方向の中心軸に対して略垂直方向に回転しようとし、結果的に前記遠心分離部７の鉛直方向の中心軸に対して略垂直方向の面で形成されている前記保護部材１７に対して相対的に斜めの角度で回転する状況が発生するため、前記保護部材１７の後方部を塵埃が通る頻度が増加し、その部分に塵埃が溜まりやすくなり、性能低下に発展する恐れがある。そこで、前記保護部材１７の後方部の前記遠心分離部７内面との間をほかの部分より大きくすることにより、その部分での塵埃堆積を防止でき、高性能を維持することができる。
【００５６】
図１２〜図１８のように、前記塵埃蓄積部８の外周部に塵埃を排出するための前記排出口１８を設け、前記排出口１８を覆う前記排出口蓋１９を備えることにより、前記排出口蓋１９を外すことにより、前記集塵部５の下部の前記排出口１８から容易に塵埃を捨てることができるため使用性の改善を図ることができる。
【００５７】
また、図１４、図１５のように前記排出口１８を前記塵埃蓄積部８下面に設けることにより、前記排出口蓋１９を外すことにより塵埃がその自重で排出できるため、塵埃排出を容易にでき、使用性を向上できる。
【００５８】
また、図１２、図１３のように、前記排出口１８を前記塵埃蓄積部８後方面に設けることにより、前記排出口蓋１９を外しても塵埃は排出されず、自らの意志により適切な量、速度で塵埃を排出できるため、前記排出口蓋１９を外すと同時に塵埃が勝手に排出されて、周囲に塵埃が散乱するといった問題点を解決することができ、使用性を向上できる。また、前記排出口蓋１９は前記集塵部５に設けられた前記回動軸２０に回動自在に保持されているため、塵埃排出後も容易に前記排出口蓋１９を閉じることができ、使用性を向上できる。また、図１３のように、前記排出口蓋１９の前記回動軸２０を前記排出口１８の上部に設けることにより、塵埃排出時に塵埃が前記排出口蓋１９の上に散乱し、前記排出口蓋１９を汚すといった問題点を解決することができ、使用性を向上できる。
【００５９】
また、図１６、図１７のように、前記排出口蓋１９の前記回動軸２０を前記排出口１８の下部に設けることにより、塵埃排出時に前記排出口蓋１９により前記排出口１８近傍が見えなくなり、塵埃排出時に周囲に塵埃を散乱させてしまうといった問題点を解決することができ、使用性を向上できる。
【００６０】
また、図１８のように、前記排出口蓋１９回動時に前記排出口蓋１９を固定するための前記係止部２１を設けることにより、塵埃排出時に前記排出口蓋１９を作業の邪魔にならないところに係止させることができ、塵埃排出作業を容易にかつ確実に行うことができ、使用性を向上できる。
【００６１】
なお、今まで述べた実施例１は前記集塵部５を縦方向に配置したキャニスタータイプの電気掃除機のみであるが、アップライトタイプの電気掃除機に応用しても同様の効果を得ることができる。
【００６２】
【発明の効果】
以上説明したように本発明によれば、集塵性能を低下することなく遠心分離部と塵埃蓄積部を有する集塵部の大きさを小型化するとともに、使用性を向上した電気掃除機を提供できる。
【図面の簡単な説明】
【図１】本発明の一実施例における掃除機本体の側中央断面図
【図２】同掃除機本体の側断面図
【図３】同集塵部の側外観図
【図４】同集塵部の前方外観図
【図５】同集塵部の上方断面図
【図６】同集塵部部分の後方外観図
【図７】同集塵部部分の後方外観図（把手部を握ったとき）
【図８】同集塵部の上方断面図
【図９】同集塵部の側中央断面図
【図１０】同集塵部の側断面図
【図１１】同集塵部の側断面図
【図１２】同集塵部の側外観図
【図１３】同集塵部の側断面図（蓋を開いたとき）
【図１４】同集塵部の側断面図
【図１５】同集塵部の側断面図（蓋を開いたとき）
【図１６】同集塵部の側断面図
【図１７】同集塵部の側断面図（蓋を開いたとき）
【図１８】同集塵部の側外観図（蓋を開いたとき）
【図１９】従来の電気掃除機の外観図
【図２０】同集塵部の側断面図
【符号の説明】
５  集塵部
６  電動送風機
７  遠心分離部
８  塵埃蓄積部
９  吸気口部
【図１】
2004267680.tif 000003
【図２】
2004267680.tif 000004
【図３】
2004267680.tif 000005
【図４】
2004267680.tif 000006
【図５】
2004267680.tif 000007
【図６】
2004267680.tif 000008
【図７】
2004267680.tif 000009
【図８】
2004267680.tif 000010
【図９】
2004267680.tif 000011
【図１０】
2004267680.tif 000012
【図１１】
2004267680.tif 000013
【図１２】
2004267680.tif 000014
【図１３】
2004267680.tif 000015
【図１４】
2004267680.tif 000016
【図１５】
2004267680.tif 000017
【図１６】
2004267680.tif 000018
【図１７】
2004267680.tif 000019
【図１８】
2004267680.tif 000020
【図１９】
2004267680.tif 000021
【図２０】
2004267680.tif 000022